(57)【要約】【課題】機能部ケースの良好なシール性を確保し得るとともに、機能部ケースの後端部の上側に厚い鏡体等の障害物が存在していても良好に蓋体を脱着することのできる機能部ケースの蓋体脱着構造を提供する。【解決手段】ケース外に突出した吐水口から吐水を行う自動手洗装置の機能部ケースの蓋体脱着構造において、下ケース１８Ａの上端部且つ外周部に沿って下ケースリブ１２２を起立状態に設けるとともに、蓋体１８Ｂ下面には蓋リブ１２４,１２６を設けて、それらを上下に且つ前後に所定距離スライド可能に嵌め合せるようにする。そして蓋体１８Ｂを後方にスライド移動させた状態で固定ねじ１３２にて蓋体１８Ｂを側面で下ケース１８Ａに固定するようになす。【選択図】        図５
2006255229.tif 000002
【特許請求の範囲】
【請求項１】
下ケースと、該下ケースの上面の開放部を閉鎖する蓋体とを有し、ケース外に突出した吐水口から吐水を行う手洗装置の機能部ケースにおける蓋体脱着構造であって
前記下ケースの上端部に、前記開放部を取り囲むように外周部に沿って環状に延びる下ケースリブを起立状態に設けるとともに、前記蓋体の下面には、該下ケースリブの外周面に沿って環状に延びる立下り形状の蓋リブを設け、該下ケースリブの上端面を該蓋体の下面の被支持面に当てて該蓋体を受けるとともに、該蓋リブと下ケースリブとを上下に合わせて該蓋リブにて下ケースリブを外側から覆うようになし、且つ前記下ケースリブと蓋リブとの間には該蓋体を該下ケースに対して前後に所定距離スライド可能とする前後方向の間隔が形成してあって、該蓋体を後方へのスライド移動の後端位置で固定手段により該下ケースに固定するようになしてあることを特徴とする機能部ケースの蓋体脱着構造。
【請求項２】
請求項１において、前記下ケースと蓋体とを前記固定手段としての固定ねじにて側面で固定するようになしてあることを特徴とする機能部ケースの蓋体脱着構造。
【請求項３】
請求項２において、締付状態の前記固定ねじを正面視において隠蔽する隠蔽部が設けてあることを特徴とする機能部ケースの蓋体脱着構造。
【請求項４】
請求項２，３の何れかにおいて、前記固定ねじによる固定構造を、該固定ねじを締付状態から所定量緩めた後に緩み方向に空回りさせ、固定ねじが外れない構造となしてあることを特徴とする機能部ケースの蓋体脱着構造。
【発明の詳細な説明】
【技術分野】
【０００１】
この発明は手洗装置の機能部ケースの蓋体の脱着構造に関する。
【背景技術】
【０００２】
従来、機能部ケースから吐水口を突出させ、吐水口より手洗器のボウル部等の水受凹部に向けて吐水するようになした手洗装置が公知である。
例えは下記特許文献１に、この種の手洗装置として機能部ケースから石鹸液の吐出口，手洗水の吐水口，温風の吹出口を突出させ、それぞれの前方に手を差し出すとそれら吐出口，吐水口，吹出口に近接して配置された、各対応する人体検知センサによる人体検知に基づいて自動的に石鹸液の吐出，手洗水の吐水，手乾燥用の温風の吹出しをなすようにした自動手洗装置が開示されている。
【０００３】
ところで、機能部ケースはその内部に配管その他の機能部品が組み込まれることから、組付性やメンテナンス作業性を考えると、これを下ケースとその上面の開放部を閉鎖する蓋体とで構成して、その蓋体を脱着可能に下ケースに固定するようになすのが好都合である。
但しこの場合、蓋体の脱着構造が問題となる。
【０００４】
その固定構造として、蓋体を下ケースに対して前後にスライドさせることで蓋体を下ケースに対し脱着するようになすことが考えられる。
この場合、単純に蓋体を下ケースに対して前後にスライドさせることだけを考えるのであれば、このような脱着構造を考えることは比較的容易である。
例えば下記特許文献２には、手洗装置における機能部ケースの蓋体となる天板を、下ケースに対し前後にスライド移動させるだけで脱着するようになした点が開示されている。
【０００５】
しかしながら機能部ケースへの水の浸入を防止する必要がある場合、下ケースと蓋体との間のシール性を考えると、上記のような単純なスライド式の脱着構造では、十分なシール性を確保することが難しい。
そこで下ケースと蓋体とを上下の嵌合せ構造とすることが考えられる。
具体的には下ケースの上端部に、下ケースの上面の開放部を取り囲むように外周部に沿って環状に延びる立上り形状の下ケースリブを、また蓋体に、その下ケースにリブの外周面に沿って環状に延びる立下り形状の蓋リブを設けて、それらを上下に合わせるようにし、下ケースリブの上端面で蓋リブの被支持面を支持するとともに、蓋リブにて下ケースリブを外周側から覆うようにするといったことが考えられる。
このようにすれば、蓋体を下ケースに取り付けた状態でそれらの間を良好にシールすることが可能となる。
【０００６】
しかしながらこの場合、単純に蓋体の脱着構造を下ケースと蓋体との上下の嵌合せ構造とすると、蓋体を上向きに下ケースから取り外そうとしたとき、機能部ケースの後端部の直上に例えば壁付きの厚みの厚い鏡体等があったりすると、その鏡体が障害となって、蓋体を取り外すことができなくなってしまう問題を生ずる。
【０００７】
蓋体の脱着構造としてはその他に、蓋体を下ケースに取り付けた状態で機能部ケースの外観を良好なものとすることも求められる。
【０００８】
以上吐水口からの吐水の他に石鹸液の吐出，温風の吹出しの機能を備えた自動手洗装置について述べたが、石鹸液の吐出機能，温風吹出し機能を備えていない、単に吐水機能のみを備えた手洗装置においても同様の問題が内在している。
【０００９】
【特許文献１】特許第２６５６２８９号
【特許文献２】特開２０００−１７２号公報
【発明の開示】
【発明が解決しようとする課題】
【００１０】
本発明はこのような事情を背景とし、機能部ケースの良好なシール性を確保し得るとともに、機能部ケースの後端部の上側に厚みの厚い鏡体等の障害物が存在していても、良好に蓋体を脱着することのできる機能部ケースの蓋体脱着構造を提供することを目的としてなされたものである。
また本発明の他の目的は、固定手段として固定ねじを使う場合において、その固定ねじが使用者から見えず、機能部ケースの外観を良好となし得る蓋体脱着構造を提供することを目的としてなされたものである。
【課題を解決するための手段】
【００１１】
而して請求項１のものは、下ケースと、該下ケースの上面の開放部を閉鎖する蓋体とを有し、ケース外に突出した吐水口から吐水を行う手洗装置の機能部ケースにおける蓋体脱着構造であって、前記下ケースの上端部に、前記開放部を取り囲むように外周部に沿って環状に延びる下ケースリブを起立状態に設けるとともに、前記蓋体の下面には、該下ケースリブの外周面に沿って環状に延びる立下り形状の蓋リブを設け、該下ケースリブの上端面を該蓋体の下面の被支持面に当てて該蓋体を受けるとともに、該蓋リブと下ケースリブとを上下に合わせて該蓋リブにて下ケースリブを外側から覆うようになし、且つ前記下ケースリブと蓋リブとの間には該蓋体を該下ケースに対して前後に所定距離スライド可能とする前後方向の間隔が形成してあって、該蓋体を後方へのスライド移動の後端位置で固定手段により該下ケースに固定するようになしてあることを特徴とする。
【００１２】
請求項２のものは、請求項１において、前記下ケースと蓋体とを前記固定手段としての固定ねじにて側面で固定するようになしてあることを特徴とする。
【００１３】
請求項３のものは、請求項２において、締付状態の前記固定ねじを正面視において隠蔽する隠蔽部が設けてあることを特徴とする。
【００１４】
請求項４のものは、請求項２，３の何れかにおいて、前記固定ねじによる固定構造を、該固定ねじを締付状態から所定量緩めた後に緩み方向に空回りさせ、固定ねじが外れない構造となしてあることを特徴とする。
【発明の作用・効果】
【００１５】
以上のように本発明は、下ケースの上端にその開放部を取り囲むように外周部に沿って環状に延びる下ケースリブを起立状態に設ける一方、蓋体の下面には対応する立下り形状の環状の蓋リブを設け、その下ケースリブの上端面を蓋体の下面の被支持面に当ててこれを受けるようになすとともに、蓋リブと下ケースリブとを上下に合わせて、蓋リブにて下ケースリブを外側から覆うようになしたもので、この脱着構造によれば、蓋体と下ケースとの間をそれら下ケースリブと蓋リブとによって良好にシールすることができ、機能部ケース内への水の浸入を良好に防止することができる。
【００１６】
また本発明では下ケースに対し蓋体を前後に所定距離スライド可能とする前後方向の間隔を下ケースリブと蓋リブとの間に形成し、そして蓋体を後方へのスライド移動の後端位置で固定手段により蓋体を下ケースに固定するようになしており、従って本発明の脱着構造においては、固定手段による固定を解除し、且つ蓋体を下ケースに対し前方に上記設定距離スライド移動させた上で、蓋体を下ケースから上向きに取り外すことができる。
従って蓋体の後端部の上側に厚みの厚い鏡体等の障害物があっても、良好に蓋体を下ケースから取り外すことが可能となる。
【００１７】
次に請求項２は、下ケースと蓋体とを固定手段としての固定ねじにて、その側面で固定するようになしたもので、このようにすれば、固定ねじの存在が正面の使用者から見て分り難く、従って固定ねじの存在によって機能部ケースの外観が特に悪化することもなく、また固定ねじの存在が分り難いため、悪戯によって固定ねじが外されてしまい、また蓋体が下ケースから取り外されてしまうといったことを防止することができる。
ここで蓋体と下ケースとは、蓋リブと下ケースリブとにおいて固定ねじにより固定するようになしておくことができる。
【００１８】
更にこの請求項２において、締付状態の固定ねじを正面視において隠蔽する隠蔽部を設けておくことができる（請求項３）。
このようにすれば、より効果的に使用者に対して固定ねじが見えないようにすることができ、機能部ケースの美観を更に良好となすことができるとともに、悪戯による固定ねじの取外しをより効果的に防ぐことができる。
この場合において、固定ねじを凹部で固定するようになし、その凹部よりも前側の凸部を上記隠蔽部となしておくことができる。
【００１９】
次に請求項４は、固定ねじによる固定構造を、締付状態から固定ねじを所定量緩めた後に緩み方向に空回りさせ、固定ねじが外れない構造となしたもので、このようにしておけば、蓋体の脱着の際に固定ねじを紛失してしまう恐れを無くし、従って固定ねじの紛失により蓋体の再組付けができなくなってしまうといったことを防ぐことができる。
【発明を実施するための最良の形態】
【００２０】
次に本発明を吐水機能の他、石鹸液の吐出機能，手乾燥用の温風の吹出機能を備えてそれら吐水，石鹸液の吐出，温風の吹出しを自動的に行う自動手洗装置に適用した場合の実施形態を図面に基づいて以下に詳しく説明する。
図１において、１０は自動手洗装置（ここでは壁掛式）で、陶器製の手洗器１２と、その下部のキャビネット１４及び手洗器１２に装着された機能部ユニット１６とを有している。
機能部ユニット１６は機能部ケース（以下単にケースとする）１８を有しており、各種機能部がそこに内蔵されている。
ここでケース１８は、ケース本体としての下ケース１８Ａと、その上面の開放部を閉鎖する蓋体１８Ｂとを有している。
【００２１】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部（水受凹部）３２に向けて開放されている。
ここで収容凹部２８の底部は、機能部ユニット１６を支持する平坦な支持部（取付基体）３０とされている。
尚図２において、３４はボウル部３２に設けられた排水口である。
【００２２】
図１に示しているように、機能部ユニット１６におけるケース１８の前面壁１０２には、石鹸液の吐出口４０と対応する人体検知センサ４６，手洗水の吐水口３８と対応する人体検知センサ４４、及び手乾燥用の温風を吹き出す吹出口３６と対応する人体検知センサ４２が設けられている。
ここで吐出口４０，吐水口３８及び吹出口３６は、それぞれケース１８の前面壁１０２から突出する形態で設けられている。
また吹出口３６は、吹出ノズル１００の先端に左右に細長いスリット状に形成されている。
【００２３】
この自動手洗装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００２４】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２５】
キャビネット１４にはまた、その内部且つ下部に石鹸液タンク６０が設けられており、そこに所定量の石鹸液（水石鹸液）が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が給気管６８を通じて上記石鹸液の吐出口４０に向けて送られる。
石鹸液はこの空気とともに混合されてムース状とされ、吐出口４０からボウル部３２に向けて吐出される。
【００２６】
尚、ケース１８の前面壁１０２には石鹸液の補給を行うための補給口６５が設けられており、この補給口６５と石鹸液タンク６０とが補給管６６で連絡されている。
この補給口６５には、引出容器４８が前後に出し入れ可能に設けられており、石鹸液の補給は、この引出容器４８を引き出した状態で、その上面の注入口に対して石鹸液を注入することにより行う。
【００２７】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこからボウル部３２に向けて吐水される。
【００２８】
キャビネット１４の内部には更に、ケース７２の内部に送風機及びヒータを収容した乾燥機本体３５が設けられており、この乾燥機本体３５から送風管７４が上向きに延び出している。
この乾燥機本体３５のケース７２には吸気口７６が設けられており、この吸気口７６から吸引された空気がヒータの加熱作用で温風とされて、送風機による送風作用で送風管７４を通じて吹出口３６へと送られる。
【００２９】
図２に示しているように、吹出ノズル１００は吹出室ケース７８に一体的に設けられている。
吹出室ケース７８の内部には吹出室８０が形成されている。
この吹出室８０は送風路の一部を成しており、乾燥機本体３５から送り出された温風が、送風管７４内部を上向きに流れて送風路の一部をなす吹出室８０内に流入し、吹出口３６から外部に勢い良く吹き出される。
【００３０】
尚、図３に示しているように機能部ユニット１６の内部、即ちケース１８の内部には、自動手洗装置１０の動作制御をなす制御基盤１１２と、電源電圧を変圧する電源トランス１１６が設けられている。これらは蓋体１８Ｂの下面に吊下状態に固定されている。
【００３１】
図４に示しているように上記下ケース１８Ａの上端部には、その上面の開放部１２０を取り囲むように外周部に沿って環状に延びる下ケースリブ１２２が起立状態に設けられている。
この下ケースリブ１２２は、左右方向に延びる前後の一対の横リブ１２２Ａと、左右両端において前後方向に延びる一対の縦リブ１２２Ｂとを有しており、全体として平面形状が横長の四角形状をなしている。
【００３２】
一方蓋体１８Ｂの下面には、下ケースリブ１２２の外周面に沿って環状に延びる立下り形状の外リブ（蓋リブ）１２４と、更に下ケースリブ１２２の内周面に沿って環状に延びる立下り形状の内リブ（蓋リブ）１２６が設けられている。
これら外リブ１２４，内リブ１２６もまた、左右方向に延びる前後一対の横リブ１２４Ａ，１２６Ａと、左右両端において前後方向に延びる左右各一対の縦リブ１２４Ａ，１２６Ａとを有しており、それぞれが左右に横長の平面四角形状をなしている。
【００３３】
これら外リブ１２４と内リブ１２６との間の蓋体１８Ｂの下面は、フラットな面で下ケースリブ１２２の上端面に当接する平面４角形状の被支持面１２８とされている。
この例では、蓋体１８Ｂを下ケース１８Ａの上に載せると、下ケースリブ１２２が蓋体１８Ｂにおける外リブ１２４と内リブ１２６との間に嵌り合った状態となる。
そして下ケースリブ１２２の上端面が、蓋体１８Ｂにおける被支持面１２８に当接してこれを支持し、また蓋体１８Ｂにおける外リブ１２４が下ケースリブ１２２を外側から被った状態となる。
また蓋体１８における内リブ１２６が下ケースリブ１２２を内側から被った状態となる。
そしてそれら下ケースリブ１２２と蓋体１８Ｂにおける蓋リブ、即ち外リブ１２４と内リブ１２６とによって、下ケース１８Ａと蓋体１８Ｂとの間が良好にシールされ、外部からケース１８内に水が浸入するのが良好に防止される。
【００３４】
尚、下ケースリブ１２２は周方向に沿って、詳しくは左右の一対の縦リブ１２２Ｂにおいて上下の段差形状を有しているが、蓋体１８Ｂ側の被支持面１２８もまた、これに対応した上下の段差形状を有しており、蓋体１８Ｂを下ケース１８Ａの上に載せた状態で、下ケースリブ１２２の上端面は全周に亘って蓋体１８Ｂの下面に、詳しくは被支持面１２８に接触した状態となる。
【００３５】
尚下ケースリブ１２２、詳しくは前後の一対の横リブ１２２Ａと蓋リブ即ち外リブ１２４及び内リブ１２６における各前後の一対の横リブ１２４Ａ，１２６Ａとの間には、図７（Ｉ）に示しているように蓋体１８Ｂを前後方向にスライド可能とする所定の間隔Ｓが確保されている。
【００３６】
下ケース１８Ａにおける左右一対の縦リブ１２２Ｂのそれぞれには、図６に示しているようにボス部１２９が設けられており、そのボス部１２９の凹孔１３０に固定ねじ１３２が保持されている。
ここでボス部１２９，固定ねじ１３２は、左右一対の縦リブ１２２Ｂのそれぞれにおいて、後端部と前後の中間部との２箇所に設けられている。
【００３７】
この凹孔１３０の奥部にはインサートナット１３４が埋込状態に設けられている。
上記固定ねじ１３２は、軸部１３３とその一端部の大径の雄ねじ部１５０と、反対側の端部の頭部１５２とを有しており、頭部の六角形状の係合孔に工具を嵌めて回転操作することで、雄ねじ部１５０がインサートナット１３４にねじ込まれ、後述するように蓋体１８Ｂを下ケース１８Ａに固定する。
【００３８】
尚、上記凹孔１３０はそれ自体が雄ねじ部１５０と同等以上の内径を有しており、凹孔１３０内部において雄ねじ部１５０が空回りするようになっている。
この凹孔１３０の図６中左端の開口部には、抜止プレート１３６が設けられている。
この抜止プレート１３６は、凹孔１３０からの固定ねじ１３２（具体的には大径の雄ねじ部１５０）の抜け止めをなすもので、図６（Ａ）の部分拡大図に示しているように、固定ねじ１３２の軸部１３３が挿通可能且つ雄ねじ部１５０が通過不能の挿通穴１３８と、軸部１３３をこの挿通部１３８に対して軸直角方向に挿入するための挿入部１４０とを有している。
【００３９】
一方蓋体１８Ｂにおける立下り形状の外リブ１２４、詳しくは左右の縦リブ１２４Ｂには、図４及び図５に示しているように上記固定ねじ１３２に対応する位置において内方に凹陥した凹部１４２（図５参照）が設けられており、そこに固定ねじ１３２の頭部１５２の厚みと同等以上の段差が形成されている。
そしてその凹部１４２に、正面形状がＬ字状をなす係合孔１４４が設けられている。
ここで係合孔１４４は、前後方向に延びる係合部１４６と、外リブ１２４の下端から係合部１４６に向かって上向きに延びる上下の挿入部１４０とを有している。
ここで挿入部１４０は、係合孔１４６の後部へと繋がっている。
【００４０】
次に本例の蓋体脱着構造における蓋体１８Ｂの脱着の手順を、その作用とともに図７に基づいて以下に詳しく説明する。
図７（Ｉ）は、固定ねじ１３２にて蓋体１８Ｂを下ケース１８Ａに固定した状態を表わしている。
このとき、同図に示しているように固定ねじ１３２は、蓋体１８Ｂにおける外リブ１２４Ｂの係合孔１４４の係合部１４６に係合した状態にあり、その状態で固定ねじ１３２の雄ねじ部１５０がインサートナット１３４にねじ込まれて、蓋体１８Ｂにおける外リブ１２４Ｂを下ケースリブ１２２Ｂに締め付けた状態にある。
尚図７（Ｉ）において、１５４はケース１８の上側において壁Ｗに取り付けられた所定厚みの鏡体を表わしている。
【００４１】
この状態で蓋体１８Ｂを下ケース１８Ａから取り外すには、先ず固定ねじ１３２を回転操作して緩め、外リブ１２４に対する固定力を解除する。
このとき、固定ねじ１３２はインサートナット１３４から外れる位置まで緩められるとそこで空回りし、抜止プレート１３６の存在によって凹孔１３０から抜止めされ、凹孔１３０内にそのまま保持された状態となる。
【００４２】
さてこのようにして固定ねじ１３２を緩めたところで、図７（II）に示しているように蓋体１８Ｂを同図中右方向、即ち前方に所定距離スライド移動させる。
このとき、固定状態において係合部１４６の前端に位置していた固定ねじ１３２が、蓋体のスライド移動によって固定部１４６の後端部に位置した状態となり、そこで図７（III）に示しているように蓋体１８Ｂを斜め上方に持ち上げるようにして、これを下ケース１８Ａから取り外すことができる。
尚、再び蓋体１８Ｂを下ケース１８Ａに取り付ける際の手順は上記とは逆の手順となる。
【００４３】
以上のような本実施形態においては、蓋体１８Ｂと下ケース１８Ａとの間を、下ケースリブ１２２と蓋リブ１２４、１２６とによって良好にシールすることができ、機能部ケース１８内への水の浸入を良好に防止することができる。
また固定を解除し、蓋体１８Ｂを下ケース１８Ａに対し前方に上記設定距離スライド移動させた上で、蓋体１８Ｂを下ケース１８Ａから斜め上向きにしながら容易に取り外すことができる。
従って蓋体１８Ｂの後端部の上側に厚みの厚い鏡体１５４が障害物として存在していても、良好に蓋体１８Ｂを下ケース１８Ａから取り外すことができる。
【００４４】
さらに固定手段としての固定ねじ１３２にて蓋体１８Ｂを側面で固定するようになしているとともに、固定ねじ１３２を正面視において凹部１４２の前方の凸部を隠蔽部として隠蔽するようになしているため、固定ねじ１３２の存在が正面の使用者から見て分り難く、従って固定ねじ１３２の存在によってケース１８の外観が特に悪化することもなく、また固定ねじ１３２の存在が分り難いため、悪戯によって固定ねじ１３２が外されてしまい、また蓋体１８Ｂが下ケース１８Ａから取り外されてしまうといったことを効果的に防ぐことができる。
【００４５】
また本実施形態では、固定ねじ１３２による固定構造を、締付状態から固定ねじ１３２を所定量緩めた後に緩み方向にこれを空回りさせ、固定ねじが外れない構造となしていることから、蓋体１８Ｂの脱着の際に、固定ねじ１３２を紛失してしまう恐れが無く、従って固定ねじ１３２の紛失により蓋体１８Ｂの再組付けができなくなってしまうのを防止することができる。
【００４６】
図８は本発明の他の実施形態を示している。
この例は、上記実施形態における固定ねじ１３２に替えて単なる抜止ピン１５６を用いる一方、前面部において下ケースリブ１２２、詳しくは横リブ１２２Ａと蓋リブ、詳しくはその外リブ１２４における横リブ１２４Ａとを、固定ねじ１５８にて固定するようになした例である。
他の点については上記と同様である。
【００４７】
以上本発明の実施形態を詳述したがこれはあくまで一例示である。
例えば本発明は単に吐水機能のみを有する手洗装置に適用することも可能であるなど、その趣旨を逸脱しない範囲において種々変更を加えた形態で構成可能である。
【図面の簡単な説明】
【００４８】
【図１】本発明の一適用対象の一例である自動手洗装置を示す断面図である。
【図２】同自動手洗装置の側面図である。
【図３】同自動手洗装置における機能部ユニットを分解して示す断面図である。
【図４】本発明の一実施形態の蓋体脱着構造を示す斜視図である。
【図５】図４の要部拡大図である。
【図６】図５の要部断面図である。
【図７】蓋体脱着の手順を作用とともに示す説明図である。
【図８】本発明の別の実施形態を示す図である。
【符号の説明】
【００４９】
１０  自動手洗装置
１８  機能部ケース
１８Ａ  下ケース
１８Ｂ  蓋体
３８  吐水口
１２０  開放部
１２２  下ケースリブ
１２４  外リブ（蓋リブ）
１２６  内リブ（蓋リブ）
１２８  被支持面
１３０  凹孔
１３２  固定ねじ
１３４  インサートナット
１３６  抜止プレート
１４２  凹部
１４４  係合孔
１５０  雄ねじ部
【図１】
2006255229.tif 000003
【図２】
2006255229.tif 000004
【図３】
2006255229.tif 000005
【図４】
2006255229.tif 000006
【図５】
2006255229.tif 000007
【図６】
2006255229.tif 000008
【図７】
2006255229.tif 000009
【図８】
2006255229.tif 000010